(57)【要約】【課題】実際にカードの読み取りが必要な場合にのみカード読み取り手段を有効にすることができる非接触カードリーダを提供する。【解決手段】第１の感知領域内において通行者２が近づいたことを感知する人感センサ１１と、通行者２が所持するカード２１のカード個人識別番号２２を読み取るカード読み取り部１２と、カード読み取り部１２の近傍に設けられ、第１の感知領域よりも狭い第２の感知領域内においてカード２１が近づいたことを感知する反射センサ１３と、人感センサ１１が通行者２を感知し、かつ反射センサ１３がカード２１を感知した場合に、カード読み取り部１２を有効にする中央処理部１７とを備えたものである。【選択図】図１
2009048388.tif 000002
【特許請求の範囲】
【請求項１】
第１の感知領域内において通行者が近づいたことを感知する第１のセンサと、
前記通行者が所持するカードのカード情報を読み取るカード読み取り手段と、
前記カード読み取り手段の近傍に設けられ、前記第１の感知領域よりも狭い第２の感知領域内において前記カードが近づいたことを感知する第２のセンサと、
前記第１のセンサが前記通行者を感知し、かつ前記第２のセンサが前記カードを感知した場合に、前記カード読み取り手段を有効にする処理手段と、
を備えたことを特徴とする非接触カードリーダ。
【請求項２】
前記処理手段は、前記第１のセンサが前記通行者を感知した場合に前記第２のセンサを有効にすることを特徴とする請求項１に記載の非接触カードリーダ。
【請求項３】
前記処理手段に接続された報知手段を備え、
前記処理手段は、前記カード読み取り手段を有効にした場合に、前記読み取り手段が通信中であることを前記報知手段によって報知することを特徴とする請求項１または請求項２に記載の非接触カードリーダ。
【請求項４】
前記処理手段は、前記カード読み取り手段を有効にした場合に、前記読み取り手段が通信中であることを外部に設けられた外部報知手段によって報知することを特徴とする請求項１から請求項３までの何れか１項に記載の非接触カードリーダ。
【発明の詳細な説明】
【技術分野】
【０００１】
この発明は、カードのカード情報を読み取って個人認証を行う非接触カードリーダに関する。
【背景技術】
【０００２】
従来の入退室管理システムは、通行者が近づいたことを感知する人感センサ部（第１のセンサ）と、通行者の人感センサ部での感知に連動して有効にされ、電波により通行者のカードのカード情報を読み取るカード読み取り部（カード読み取り手段）と、読み取ったカード情報の照合結果に基づき扉の制御を行う扉制御手段と、人感センサ部の感知に対するカード読み取り部での読み取り状況から通行者の誤感知を検出する手段と、この誤感知を記録する感度調整用記憶手段と、この感度調整用記憶手段の記録に基づき、人感センサ部での感度を調整する手段とを備えている（例えば、特許文献１参照）。
【０００３】
【特許文献１】特開２００４−５２２７２号公報
【発明の開示】
【発明が解決しようとする課題】
【０００４】
従来の入退室管理システムでは、人感センサ部での通行者の感知に連動してカード読み取り部が有効にされる。
しかしながら、カードを所持しない通行者や、非接触カードリーダを使用しない通行者が感知された場合であっても、カード読み取り部が有効にされて電波が出力されるという問題点があった。
【０００５】
この発明は、上記のような問題点を解決することを課題とするものであって、その目的は、実際にカードの読み取りが必要な場合にのみカード読み取り手段を有効にすることができる非接触カードリーダを提供することにある。
【課題を解決するための手段】
【０００６】
この発明に係る非接触カードリーダは、第１の感知領域内において通行者が近づいたことを感知する第１のセンサと、通行者が所持するカードのカード情報を読み取るカード読み取り手段と、カード読み取り手段の近傍に設けられ、第１の感知領域よりも狭い第２の感知領域内においてカードが近づいたことを感知する第２のセンサと、第１のセンサが通行者を感知し、かつ第２のセンサがカードを感知した場合に、カード読み取り手段を有効にする処理手段とを備えたものである。
【発明の効果】
【０００７】
この発明の非接触カードリーダによれば、処理手段は、第１のセンサが第１の感知領域内において通行者を感知し、かつ第２のセンサが第１の感知領域よりも狭い第２の感知領域内においてカードを感知した場合に、カード読み取り手段を有効にする。
そのため、実際にカードの読み取りが必要な場合にのみカード読み取り手段を有効にすることができ、例えば医療機器への影響が懸念され、導入が困難だった病院等にも非接触カードリーダを導入することができる。
【発明を実施するための最良の形態】
【０００８】
以下、この発明の各実施の形態について図に基づいて説明するが、各図において同一、または相当する部材、部位については、同一符号を付して説明する。
【０００９】
実施の形態１．
図１は、この発明の実施の形態１に係る非接触カードリーダ１を含む入退室管理システムを示すブロック構成図である。
図１において、入退室管理システムは、通行者２の個人認証を行う非接触カードリーダ１（以下、「カードリーダ１」と略称する）と、個人認証の結果に応じて扉３を開閉制御する扉制御部４と、カードリーダ１に接続された電光掲示板等の表示部５（外部報知手段）とから構成されている。
【００１０】
具体的には、カードリーダ１は、通行者２が所持するカード２１に記憶されたカード個人識別番号２２（カード情報）を読み取って、通行者２の個人認証を行う。
カードリーダ１は、人感センサ１１（第１のセンサ）と、カード読み取り部１２（カード読み取り手段）と、反射センサ１３（第２のセンサ）と、通行可否データベース１４と、液晶表示部１５（報知手段）と、液晶表示部バックライト１６（以下、「バックライト１６」と略称する）と、中央処理部１７（処理手段）とを含んでいる。
ここで、中央処理部１７は、ＣＰＵとプログラムを格納したメモリとを有するマイクロプロセッサ（図示せず）で構成されている。
【００１１】
人感センサ１１は、第１の感知領域（図示せず）内において通行者２が近づいたことを感知して、第１感知信号を出力する。第１の感知領域は、例えば人感センサ１１から数ｍ程度までの領域とする。人感センサ１１は、赤外線、または赤外線および超音波によって通行者２を感知している。
カード読み取り部１２は、通行者２が所持するカード２１に記憶されたカード個人識別番号２２を電波によって読み取って出力する。
【００１２】
反射センサ１３は、カード読み取り部１２の近傍に設けられる。反射センサ１３は、第１の感知領域よりも狭い第２の感知領域（図示せず）内において通行者２のカード２１が近づいたことを感知して、第２感知信号を出力する。第２の感知領域は、例えば反射センサ１３から１０ｃｍ程度までの領域とする。反射センサ１３は、超音波によってカード２１を感知している。
【００１３】
通行可否データベース１４は、この入退室管理システムの利用者の各々に割り当てられて通行者２を認証するための複数のカード個人識別番号を記憶している。
液晶表示部１５は、中央処理部１７からの動作指令に応じてカード読み取り部１２の操作ガイダンスや操作状態等を表示する。
バックライト１６は、液晶表示部１５の裏面に設けられ、中央処理部１７からの動作指令に応じて液晶表示部１５に光を照射する。
【００１４】
中央処理部１７は、人感センサ１１から第１感知信号が入力された場合に、反射センサ１３を有効にするとともに、液晶表示部１５およびバックライト１６に動作指令を出力する。
また、中央処理部１７は、反射センサ１３から第２感知信号が入力された場合（人感センサ１１から第１感知信号が入力され、かつ反射センサ１３から第２感知信号が入力された場合）に、カード読み取り部１２を有効にする。
【００１５】
また、中央処理部１７は、カード読み取り部１２からのカード個人識別番号２２と通行可否データベース１４とを照合し、カード個人識別番号２２が通行可否データベース１４に記憶されている場合に、通行者２が認証されたことを扉制御部４に通知する。
【００１６】
また、中央処理部１７は、カード読み取り部１２を有効にした場合に、カード読み取り部１２が通信中であることを、液晶表示部１５および表示部５によって周囲に報知する。すなわち、中央処理部１７は、液晶表示部１５および表示部５に、例えば「電波出力中」と表示させる。
【００１７】
以下、図１とともに、図２のフローチャートを参照しながら、この発明の実施の形態１によるカードリーダ１の動作について説明する。
まず、カード読み取り部１２が無効の状態で動作が開始される（ステップＳ３１）。
続いて、中央処理部１７は、人感センサ１１が通行者２を感知したか、すなわち、人感センサ１１から第１感知信号が入力されたか否かを判定する（ステップＳ３２）。
【００１８】
ステップＳ３２において、第１感知信号が入力された（すなわち、Ｙｅｓ）と判定された場合には、中央処理部１７は、反射センサ１３を有効にする（ステップＳ３３）。
また、中央処理部１７は、バックライト１６を点灯させるとともに、液晶表示部１５に操作ガイダンスを表示させる（ステップＳ３４）。
【００１９】
次に、中央処理部１７は、反射センサ１３がカード２１を感知したか、すなわち、反射センサ１３から第２感知信号が入力されたか否かを判定する（ステップＳ３５）。
ステップＳ３５において、第２感知信号が入力された（すなわち、Ｙｅｓ）と判定された場合には、中央処理部１７は、カード読み取り部１２を有効にする（ステップＳ３６）。
また、中央処理部１７は、液晶表示部１５および表示部５に「電波出力中」と表示させる（ステップＳ３７）。
【００２０】
続いて、中央処理部１７は、カード読み取り部１２が所定時間（例えば、５秒）以内にカード個人識別番号２２を読み取ったか、すなわち、カード読み取り部１２から所定時間内にカード個人識別番号２２が入力されたか否かを判定する（ステップＳ３８）。
ステップＳ３８において、所定時間内にカード個人識別番号２２が入力された（すなわち、Ｙｅｓ）と判定された場合には、中央処理部１７は、カード個人識別番号２２と通行可否データベース１４とを照合し、通行者２が認証されたか否かを判定する（ステップＳ３９）。
【００２１】
ステップＳ３９において、通行者２が認証された（すなわち、Ｙｅｓ）と判定された場合には、中央処理部１７は、通行者２が認証されたことを扉制御部４に通知し（ステップＳ４０）、扉制御部４は、扉３を一時解錠する。
次に、中央処理部１７は、カード読み取り部１２を無効にする（ステップＳ４１）。
続いて、中央処理部１７は、バックライト１６を消灯させ、液晶表示部１５の動作を停止させるとともに、反射センサ１３を無効にして（ステップＳ４２）、図２の処理を終了する。
【００２２】
一方、ステップＳ３８において、所定時間内にカード個人識別番号２２が入力されない（すなわち、Ｎｏ）と判定された場合、およびステップＳ３９において、通行者２が認証されない（すなわち、Ｎｏ）と判定された場合には、前述したステップＳ４１に移行する。
【００２３】
一方、ステップＳ３５において、第２感知信号が入力されない（すなわち、Ｎｏ）と判定された場合には、前述したステップＳ４２に移行する。
また、ステップＳ３２において、第１感知信号が入力されない（すなわち、Ｎｏ）と判定された場合には、直ちに図２の処理を終了する。
【００２４】
この発明の実施の形態１に係る非接触カードリーダ１によれば、中央処理部１７は、人感センサ１１が第１の感知領域内において通行者２を感知し、かつ反射センサ１３が第１の感知領域よりも狭い第２の感知領域内においてカード２１を感知した場合に、カード読み取り部１２を有効にする。
そのため、実際にカード２１の読み取りが必要な場合にのみカード読み取り部１２を有効にすることができ、例えば医療機器への影響が懸念され、導入が困難だった病院等にも非接触カードリーダ１を導入することができる。
【００２５】
また、中央処理部１７は、人感センサ１１から第１感知信号が入力された場合に、反射センサ１３を有効にする。
そのため、カードリーダ１の消費する電力を低減することができる。
【００２６】
また、中央処理部１７は、カード読み取り部１２を有効にした場合に、液晶表示部１５および表示部５に例えば「電波出力中」と表示させることにより、カード読み取り部１２が通信中であることを周囲に報知する。
そのため、医療機器（例えば、ペースメーカ等）を装着した人が、遠くからでも、カード読み取り部１２が電波を出力していることが認識することができる。
【００２７】
なお、上記実施の形態１では、外部報知手段の例として電光掲示板等の表示部５を挙げたが、これに限定されない。外部報知手段は、音声によってカード読み取り部１２が通信中であることを報知するスピーカ等であってもよい。
この場合も、上記実施の形態１と同様の効果を奏することができる。
【図面の簡単な説明】
【００２８】
【図１】この発明の実施の形態１に係る非接触カードリーダを含む入退室管理システムを示すブロック構成図である。
【図２】この発明の実施の形態１による非接触カードリーダの動作を示すフローチャートである。
【符号の説明】
【００２９】
１  カードリーダ（非接触カードリーダ）、２  通行者、５  表示部（外部報知手段）、１１  人感センサ（第１のセンサ）、１２  カード読み取り部（カード読み取り手段）、１３  反射センサ（第２のセンサ）、１５  液晶表示部（報知手段）、１７  中央処理部（処理手段）、２１  カード、２２  カード個人識別番号（カード情報）。
【図１】
2009048388.tif 000003
【図２】
2009048388.tif 000004